【手続補正書】
【提出日】平成26年7月30日(2014.7.30)
【手続補正１】
【補正対象書類名】明細書
【補正対象項目名】全文
【補正方法】変更
【補正の内容】
【発明の詳細な説明】
【発明の名称】たばこ容器
【技術分野】
【０００１】
本発明は、広くには、消費者向製品の梱包の分野に関する。
本発明は、たばこ製品において使用するために適した新規な容器、容器を製造するための素材、および素材から容器を製造するための方法に関する。
【背景技術】
【０００２】
消費者向製品のための容器が、長年にわたってボール紙、または、板紙から製造されている。
これらの容器は、容器を形成すべく、通常は１枚のボール紙、または、板紙から切り出された素材を折り曲げることによって製造され、そのような容器は、通常は製品を取り出すための少なくとも１つの開口を有するとともに蓋を有して、製品を取り出すために蓋を開くことができるように、容器の側壁へと枢動可能に接続している。
容器が枢動可能な蓋を有する場合、ユーザは、多くの場合に、容器を開くために両手を使用する必要があり、すなわち、一方の手で容器を保持し、他方の手で蓋を開く必要がある。
特定の種類の蓋を有する容器は、場合により、１つの手で保持でき、その同じ手の親指で蓋を開くことができる。
しかしながら、これは、多くの場合に面倒な作業であり、このやり方で容器が何度も開かれると、蓋の枢支部および容器の側壁など、容器の構造の各部が弱くなる可能性がある。
その結果、開放作業の実行がさらに難しくなる可能性がある。
さらに、容器を１つの手で開くとき、消費者が蓋を開けようと試みる際に側壁に大きな圧力を加え、結果として容器内の製品に圧力が加わる可能性がある。
これは、内部の製品の損傷を引き起こしかねず、たばこ容器の場合には、たばこ棒が曲がってしまう可能性がある。
【発明の概要】
【発明が解決しようとする課題】
【０００３】
したがって、消費者向け製品の容器であって、滑らかかつ簡単な動きで容器のより容易な開放を促進する優れた容器について、ニーズが存在している。
【課題を解決するための手段】
【０００４】
そこで、本発明は、先行技術の呈する問題を解決するために、
内パックと外パックと蓋作動リンク（lid actuating link）とを備え、
前記内パックが、底面と、開いた上面と、これらの上面と底面との間を縦方向に延びる複数の内パック側壁と、これらの内パック側壁のうちの１つに枢動可能に接続された蓋とを備え、
前記外パックが、この外パックの内部を定める複数の縦方向の外パック側壁を備えて前記内パックを外パックの内部に収容するとともに記外パックに対する内パックの第１位置と第２位置との間で縦方向に相対移動するように構成され、
前記蓋作動リンクが、第１の端部で前記外パック側壁の縁に一体に形成されて該縁から延びるとともに第２の端部で内パックの蓋へ接続され、前記蓋および蓋作動リンクが前記内パックの第１位置と第２位置との間の摺動によって蓋の開位置と閉位置との間の運動を生じるように構成され、
前記第１位置と第２位置との間で移動する際に、蓋作動リンクが、第１の端部を中心に前記外パック側壁と内パックとの間に位置する第１の向きから、該蓋作動リンクが前記第１の端部から前記外パックの内部から遠ざかるように延びる第２の向きへ回転する容器を提供する。
【０００５】
この蓋作動リンクの構成によれば、第１位置と第２位置との間の内パックおよび外パックの互いの移動の短い行程にて、蓋を閉位置から開位置へと、または、その反対に動かすことができる。
この短い行程、すなわち、容器が閉じられた状態にある第１位置と容器が開いた状態にある第２位置との間の短い距離が、ユーザが一方の手で容器を保持し、親指の単一の運動で容器を開閉可能にする。
さらに、この蓋作動リンクの構成は、外パックと蓋作動リンクとを外パックの構造的な要件および蓋作動リンクの機能的な要件の両方に適した特性を有する単一の材料片から製作可能にする。
さらに、この構成は、これまでに可能であったものよりもさらに効率的な材料の使用を可能にし、容器の製造および組み立てを単純にする。
【０００６】
内パックは、蓋が閉位置にあるときに蓋作動リンクの厚さの少なくとも一部を収容する凹所を備えることができる。
蓋作動リンクが内パックと外パックとの間に設けられる場合、蓋作動リンクの厚さを容器の２つの部分（内パックおよび外パック）の間に収容することが困難になる。
内パックに凹所が設けられる場合、外パックが、蓋作動リンクの厚さに起因する外壁の大きな変形を生じることなく、自身の形状を保つことができる。
これは、蓋作動リンクの厚さによる変形を被る容器と比べてより高い品質の外観をもたらすとともに、蓋作動リンクを内パックの凹所に収容することで、本明細書において後述されるように蓋作動リンクの機能を改善することができる。
【０００７】
また、前記凹所を蓋に設けることもできる。
凹所を蓋に設けることは、容器が閉じた状態にあるときに蓋作動リンクが内パックと外パックとの間の蓋の領域に収容されるように構成される場合に特に有益である。
【０００８】
前記蓋が、蓋後壁を備え、この蓋後壁に少なくとも１つの切れ目または１対の切れ目を設けることによって凹所をもたらすことができる。
この構成は、蓋作動リンクが外パックと内パックの蓋との間に収容される容器において有益である。
さらに、凹所を内パック側壁の少なくとも１つの切れ目または１対の切れ目によって内パックの側面に設けてもよい。
この構成は、蓋作動リンクが外パックと内パック側壁との間に収容される容器において有益である。
内パックの材料へ凹所をプレスする、内パックの材料に切り抜きを設ける、内パックに複数の材料層を設け、これらの層のうちの１つ以上の材料を凹所の領域において除去する、もしくは、内パックに凹所を設ける任意の他の適切な方法など、いくつかの選択肢としての方法によって、凹所をもたらすことができる。
【０００９】
さらに、前記蓋が蓋後壁に実質的に垂直に配置されて折り目によって前記蓋後壁へ接続された上端面を備えることができ、前記凹所が、前記折り目の第１部分が該折り目の第２部分に対してずらされることによって形成される。
用語「ずらす」は、折り目のうちのずらされた部分が、折り目の第２部分と同じ折り曲げの軸には位置せず、あるいは折り目の第２部分から折り目の軸に対して垂直な方向に離れていることを意味する。
これにより、蓋の上端面が折り目を中心に蓋後壁に対して折り曲げられるときに凹所が生成されるため、凹所を形成する効率的なやり方がもたらされる。
【００１０】
前記蓋作動リンクの少なくとも一部分が、容器が閉じているときの第１の向きから容器が開いているときの第２の向きへと回転する際に実質的に剛体のままであることができるよう、外パック側壁が変形可能であるように、蓋作動リンクの幅および長さならびに外パック側壁の寸法を選択することができる。
これらの寸法をリンクの少なくとも一部分が第１の端部を中心として回転する際に実質的に真っ直ぐなままでいられるようにすることで、蓋作動リンクを外パックと同様の特性を有する実質的に堅固な材料から製作することができる。
これにより、蓋作動リンクを外パックと同じ材料から製作することができ、外パックと同じ素材の一部とすることさえ可能である。
したがって、容器の製造が簡単になる。
【００１１】
さらに、ユーザが外パック側壁を通って内パック側壁にアクセスして、内パックを第１位置と第２位置との間で摺動させるために、外パックが少なくとも１つの外パック側壁に開口を備えることができる。
容器の外パック側壁に開口を設けることで、ユーザが一方の手で外パックを保持しながら、その手の親指を使用して内パックを外パックに対して第１位置と第２位置との間で摺動させることができる。
さらに、この開口を設けることで、ユーザは、容器を開くために容器の一部に直線移動を加えるだけでよい。
これは、先行技術の容器の蓋に回転運動を加えることを不要にし、あるいは先行技術の容器において必要とされるような最初の上方への開放動作およびその後の第２の回転動作、または、第２の実質的に直線的な方向の動作を不要にする。
【００１２】
開口は、外パックの少なくとも２つの外パック側壁へと広がる単一の開口であってよい。
外パックの少なくとも２つの外パック側壁へと広がる単一の開口を設けることで、内パックを外パックに対して第１位置と第２位置との間で動かすために指、または、親指を添えることができる内パック上の地点について、より広い選択の範囲がユーザにもたらされる。
これは、容器により高い使用の柔軟性を提供するとともに、左利きおよび右利きの両方のユーザを含むより広い範囲のユーザにより容易かつより柔軟な使用を提供する。
【００１３】
前記開口は、外パックの少なくとも３つの外パック側壁へと広がる単一の開口であってよい。
この構成は、より広い範囲のユーザに使用のさらなる柔軟性を可能にする。
【００１４】
前記開口は、０度よりも大きく約９０度よりも小さい互いの角度に配置された外パック側壁へと広げることができる。
容器は、ユーザにより一層の快適さを提供するための柔らかい外形を容器にもたらすために、各々が０度よりも大きい互いの角度に配置された複数の外パック側壁を備えることができる。
これらの０度よりも大きい互いの角度に配置された外パック側壁にまたがって広がる開口を設けることで、容器の開放を種々の外パック側壁に対するいくつかの異なる接近の角度から実行することができる。
【００１５】
前記開口は、互いに実質的に垂直に配置された側壁に広げることができる。
開口が互いに実質的に垂直に配置された外パック側壁に広がる場合、ユーザが容器を容器のどの側面から開くかを選択することができ、どちらの手を使用して容器を開くかについてより豊富な選択肢を有する。
【００１６】
前記開口は、９０度を超える互いの角度に配置された外パック側壁に広げることができる。
９０度を超える互いの角度に配置された外パック側壁に広がる開口を設けることで、容器を開くべく内側を外側に対して第１位置と第２位置との間で移動させるために容器のどの側面を使用できるかについて、きわめて広い範囲の選択肢がユーザにもたらされる。
【００１７】
前記外パック側壁を、
側壁タブを両側の各々に配置した第１の大きい方の側壁面パネルと、側壁パネル部分を両側の各々に配置した第２の大きい方の側壁面パネルとを備え、
前記側壁パネル部分のうちの少なくとも１つが、前記開口によって隔てられた２つの部分を備え、該側壁パネル部分の該部分の前記大きい方の壁部分とは反対の側に補助タブが配置されている素材から形成することが可能である。
【００１８】
補助タブを側壁パネル部分の前記部分の大きい方の壁とは反対の側に配置することで、９０度よりも大きい互いの角度に配置された側壁に広がり、随意により各々が次の壁に対して実質的に垂直に配置された３つの壁へと広がる開口を外パックに設けることができる素材をもたらすことができる。
【００１９】
前記外パックは、側壁部分パネルおよびスライダ要素パネルを備え、このスライダ要素パネルが、脆弱リンク（Frangible link）によって側壁部分パネルへと接続され、かつ脆弱リンクが破られたときにスライダ要素パネルが内パックに取り付けられたままになるように内パックへと取り付けられている。
【００２０】
脆弱リンクによって外パックへと接続されかつ上述のように内パックへと取り付けられたスライダ要素パネルを設けることで、スライダ要素パネルが２つの機能をもたらすことができる。
２つの機能には、内パックを外パックにおいて開位置および閉位置の間で摺動させるためにユーザの親指、または、指を添えることができるスライダの機能と、２つ目に、パックが初めて開かれるときに脆弱リンクが破れてパックが開かれたことが明白になる点で、改ざん防止装置をもたらすという機能が含まれる。
【００２１】
前記内パックおよび外パックは、隣り合う外パック側壁の組を接続する少なくとも１つの丸みを帯びた角を備えることができる。
内パックおよび外パックの各々に丸みを帯びた角を設けることで、内パックおよび外パックの外形が相補的になるため、内パックおよび外パックをお互いに対して摺動させることができる。
また、丸みを帯びた角を設けることは、ユーザにとって不快となりうるパックの外縁の尖った角を回避する役に立つため、ユーザにとってのパックの快適さの向上をもたらす。
【００２２】
本発明のさらなる態様によれば、
内パックと、外パックと、蓋作動リンクとを備え、
前記内パックが、底面と、開いた上面と、前記上面と底面との間を縦方向に延びる複数の内パック側壁と、これらの内パック側壁のうちの１つに枢動可能に接続された蓋とを備え、
前記外パックが、外パックの内部を定める複数の縦方向の外パック側壁を備え、内パックを外パックの内部に収容することができ、前記外パックが、該外パックに対する前記内パックの第１位置と第２位置との間で縦方向に相対移動するように構成され、
蓋作動リンクが、第１の端部で内パックの蓋へと接続され、蓋および蓋作動リンクが、前記内パックの第１位置と第２位置との間の摺動によって、蓋の開位置と閉位置との間の運動が生じるように構成され、
前記内パックが、蓋が閉位置にあるときに蓋作動リンクの厚さの少なくとも一部を収容する凹所を備えている容器が提供される。
【００２３】
本発明のさらなる態様によれば、
内パックと、外パックと、蓋作動リンクとを備え、
前記内パックが、底面と、開いた上面と、前記上面と底面との間を縦方向に延びる複数の内パック側壁と、これらの内パック側壁のうちの１つに枢動可能に接続された蓋とを備え、
前記外パックが、この外パックの内部を定める複数の縦方向の外パック側壁を備え、内パックを外パックの内部に収容することができ、外パックが、外パックに対する内パックの第１位置と第２位置との間で縦方向に相対移動するように構成され、
蓋作動リンクが、第１の端部で前記内パックの蓋へと枢動可能に接続され、蓋および蓋作動リンクが、内パックの第１位置と第２位置との間の摺動によって、蓋の開位置と閉位置との間の運動が生じるように構成され、
ユーザが外パック側壁を通って内パック側壁にアクセスして、内パックを外パックに対して第１位置と第２位置との間で摺動させるよう、開口が外パック側壁のうちの少なくとも１つに存在し、
該開口が、外パックの少なくとも２つの外パック側壁へと広がる単一の開口である容器を提供することができる。
【００２４】
本発明のさらなる態様によれば、
開位置と閉位置との間をお互いに対して摺動可能である内パックおよび外パックを備え、外パックが、側壁部分パネルおよびスライダ要素パネルを備え、このスライダ要素パネルが、脆弱リンクによって側壁パネル部分へと接続され、かつ脆弱リンクが破られたときにスライダ要素パネルが内パックに取り付けられたままになるように内パックへと取り付けられている容器を提供することができる。
【００２５】
本発明のさらなる態様によれば、
内パックおよび外パックを備え、
前記内パックが、底面と、開いた上面と、前記上面と底面との間を縦方向に延びる複数の内パック側壁と、これらの内パック側壁のうちの１つに枢動可能に接続された蓋とを備え、
前記外パックが、外パックの内部を定める複数の縦方向の外パック側壁を備え、内パックを外パックの内部に収容することができ、外パックが、外パックに対する内パックの第１位置と第２位置との間で縦方向に相対移動するように構成され、
ユーザが外パック側壁を通って内パック側壁にアクセスして、内パックを外パックに対して第１位置と第２位置との間で摺動させることができるよう、開口が外パック側壁のうちの少なくとも１つに存在し、
前記内パックおよび外パックの各々が、隣り合う側壁の組を接続する少なくとも１つの丸みを帯びた角を備え、
前記開口が、外パックの少なくとも２つの外パック側壁へと広がる単一の開口である容器を提供することができる。
【００２６】
さらに、上述の内パックまたは外パックのいずれかの側壁は、折り目によって該側壁の縁へと接続された補助側壁面パネル部分によってもたらされた第２の材料層を備えることができる。
第２の材料層は、内パックおよび／または外パックに追加の強度および剛性をもたらし、これはユーザが内パックおよび外パックをそれらの第１および第２の相対位置の間で摺動させるために内パックまたは外パック側壁に圧力を加えるときに特に有益である。
【００２７】
本発明のさらなる態様によれば、上述した容器の内パックおよび外パックを形成するための素材が提供される。
【００２８】
容器を形成する方法であって、
底面と、開いた上面と、前記上面と底面との間を縦方向に延びる複数の内パック側壁と、前記内パック側壁のうちの１つに枢動可能に接続された蓋とを備えている内パックを形成するステップと、
内部を定める複数の縦方向の外パック側壁を備え、内パックを内部に受け入れる外パックであって、この外パックに対する内パックの第１位置と第２位置との間で縦方向に相対移動するように構成された外パックを形成するステップと、
第１の端部で内パックの蓋へと接続された蓋作動リンクであって、蓋および蓋作動リンクが、内パックの第１位置と第２位置との間の摺動によって前記蓋の開位置と閉位置との間の運動が生じるように構成されている蓋作動リンクを形成するステップと、
前記内パックおよび外パックを第１位置と第２位置との間の移動の際に、蓋作動リンクが、第１の端部を中心に、蓋作動リンクが外パック側壁と内パックとの間に位置する第１の向きから、蓋作動リンクが第１の端部から外パックの内部から遠ざかるように延びる第２の向きへと回転するように構成するステップと
を不特定の順序で含む方法が提供される。
【００２９】
容器を形成するさらなる方法であって、
底面と、開いた上面と、前記上面と底面との間を縦方向に延びる複数の内パック側壁と、これらの内パック側壁のうちの１つに枢動可能に接続された蓋とを備えている内パックを形成するステップと、
内部を定める複数の縦方向の外パック側壁を備え、内パックを内部に受け入れる外パックであって、この外パックに対する内パックの第１位置と第２位置との間で縦方向に相対移動するように構成された外パックを形成するステップと、
第１の端部で内パックの蓋へと接続された蓋作動リンクであって、蓋および蓋作動リンクが、内パックの第１位置と第２位置との間の摺動によって蓋の開位置と閉位置との間の運動が生じるように構成されている蓋作動リンクを形成するステップと、
前記蓋が閉位置にあるときに蓋作動リンクの厚さの少なくとも一部を収容する凹所を内パックに形成するステップと
を不特定の順序で含む方法が提供される。
【００３０】
容器を形成するさらなる方法であって、
底面と、開いた上面と、前記上面と底面との間を縦方向に延びる複数の内パック側壁と、これらの内パック側壁のうちの１つに枢動可能に接続された蓋とを備えている内パックを形成するステップと、
内部を定める複数の縦方向の外パック側壁を備え、内パックを内部に受け入れる外パックであって、この外パックに対する内パックの第１位置と第２位置との間で縦方向に相対移動するように構成された外パックを形成するステップと、
第１の端部で内パックの蓋へと枢動可能に接続された蓋作動リンクであって、蓋および蓋作動リンクが、内パックの第１位置と第２位置との間の摺動によって蓋の開位置と閉位置との間の運動が生じるように構成されている蓋作動リンクを形成するステップと、
ユーザが外パック側壁を通って内パック側壁にアクセスして、内パックを外パックに対して第１位置と第２位置との間で摺動させることができるよう、外パック側壁のうちの少なくとも１つに開口を形成するステップと
を不特定の順序で含んでおり、
前記開口が、外パックの少なくとも２つの側壁へと広がる単一の開口である方法が提供される。
【００３１】
容器を形成するさらなる方法であって、
内パックを形成するステップと、
スライダ要素パネルを備える外パックであって、スライダ要素パネルが脆弱リンクによって外パックへと取り付けられている外パックを形成するステップと、
前記内パックを外パックの内側に収容されて外パックの内側で第１の開位置と第２の閉位置との間を摺動可能であるように配置するステップと、
前記スライダ要素パネルを内パックへと、容器が初めて開かれるときに脆弱リンクが破れて前記スライダ要素パネルが内パックに取り付けられたままとなるように取り付けるステップと
を不特定の順序で含む方法が提供される。
【００３２】
容器を形成するさらなる方法であって、
底面と、開いた上面と、前記上面と底面との間を縦方向に延びる複数の内パック側壁と、これらの内パック側壁のうちの１つに枢動可能に接続された蓋とを備えている内パックを形成するステップと、
内部を定める複数の縦方向の外パック側壁を備え、内パックを内部に受け入れる外パックであって、外パックに対する内パックの第１位置と第２位置との間で縦方向に相対移動するように構成された外パックを形成するステップと、
ユーザが外パック側壁を通って内パック側壁にアクセスして、内パックを外パックに対して第１位置と第２位置との間で摺動させるよう、外パック側壁のうちの少なくとも１つに開口を形成するステップと、
前記内パックおよび外パックの各々において、隣り合う側壁の組を接続する少なくとも１つの丸みを帯びた角を形成するステップと
を不特定の順序で含んでおり、
前記開口が、外パックの少なくとも２つの外パック側壁へと広がる単一の開口である方法が提供される。
【００３３】
これらの方法を容器の内パックおよび外パックを形成するための素材を折り曲げることによって実行することができる。
【００３４】
次に、本発明の具体的な実施例を添付の図面を参照して説明する。
【図面の簡単な説明】
【００３５】
【図１】本発明の一実施例による容器の斜視図。
【図２】開いた状態にある図１に示す容器の斜視図。
【図３】中間的な状態にある図１に示す容器の斜視図。
【図４】図１に示す容器の上面図。
【図５】中間的な状態にある図１に示す容器の後面図。
【図６】開いた状態にある図１に示す容器の側面図。
【図７ａ】図１に示す容器の内パックに適した素材を示す図。
【図７ｂ】図７ａの一部分の拡大を示す図。
【図７ｃ】折り曲げ時に図７ｂの構成によって生じる効果を示す図。
【図８】図１に示す容器の外パックを形成する素材を示す図。
【図９】図１に示すパックと別の実施例の外パックを形成する素材を示す図。
【図１０】図９に示す別の実施例による容器の内パックを形成する別の素材を示す図。
【図１１ａ】本発明による蓋の開放機構を示す図。
【図１１ｂ】本発明による蓋の開放機構を示す図。
【図１１ｃ】本発明による蓋の開放機構を示す図。
【図１１ｄ】本発明による蓋の開放機構を示す図。
【図１１ｅ】本発明による蓋の開放機構を示す図。
【図１２】本発明の別の実施例によるパックを示す斜視図。
【図１３】開いた状態にある図１２の容器を示す図。
【図１４】図１２に示す容器の上面図。
【図１５】中間的な状態にある図１２に示す容器の後面図。
【図１６】中間的な状態にある図１２に示す容器の側面図。
【図１７】開いた状態にある図１２に示す容器の側面図。
【図１８】図１２に示す容器の外パックを形成する素材を示す図。
【図１９】図１２に示す容器の内パックを形成する素材を示す図。
【発明を実施するための形態】
【００３６】
図１が、本発明の第１実施例による容器１を示している。
容器１が、以下では外パック１０１と称される外側部分と、以下では内パック１０２と称される内側部分とを有している。
外パック１０１は、開いた上面１０３と底面１０４とを有している。
外パック１０１は、複数の縦長の外パック側壁１０５を有している。
外パック側壁１０５は、底面１０４から開いた上面１０３へと縦方向に延びている。
ここで、本明細書の全体を通して、用語「縦」は、いずれかの方向にて底面１０４と開いた上面１０３との間を走る方向を指す。
他方、内パック１０２も、底面１０４と上面１０３との間を縦方向に延びる複数の内パック側壁１０６を有している。
さらに、内パック１０２は、蓋１１１を備え、この蓋１１１は、閉じられた状態にあるときに内パック１０２の開いた上面を覆うように構成され、さらに、外パック１０１の上部の開口の実質的に内側に配置されている。
この特定の実施例は、随意により外パック１０１に設けられ、それに対応して内パック１０２にも設けられる丸みを帯びた角１０８および角１０９を呈している。
内パック１０２は、随意により、ユーザの指と内パック１０２との間のさらなる付着をもたらすことができ、内パック１０２を形成する材料にさらなる強度および／または耐摩耗性をもたらす摩擦部（破線１１０で示される）を備えている。
【００３７】
図２が、開いた状態の図１の容器１を示している。
内パック１０２が、図１に示す第１の閉位置から図２に示す第２の開位置へと、外パック１０１の底部から上部への縦方向に動かされている。
内パック側壁１０６が外パック１０１の開いた上面から突き出していることを見て取ることができる。
蓋１１１が、内パック１０２の内パック側壁１０６（見て取ることができない）へ枢動可能に取り付けられている。
蓋１１１は、折り目１１５に沿って枢動可能に接続された上端面１１２および蓋後壁１１３を備えている。
蓋１１１は、蓋側壁１１４をさらに備えている。
【００３８】
図３が、内パック１０２が外パック１０１に対して図１および図２に示した２つの位置の間のほぼ中間にある中間的な状態の容器１を示している。
この中間的な位置において、蓋１１１を備える内パック１０２が、外パック１０１の開いた上面１０３から途中まで突き出している。
しかしながら、蓋１１１は、依然として内パック１０２へと閉じた状態である。
蓋作動リンク１１６が、折り目１１７に沿って外パック側壁１０５のうちの１つ（この場合には、大きい方の外パック側壁面１２４）へ接続されている。
この実施例においては、取り付け部１１８が、蓋１１１の上端面１１２に実質的に重なり、折り目１１９および１２０ならびに追加の取り付け部１２１によって蓋作動リンク１１６へ接続されている。
追加の取り付け部１２１を蓋後壁１１３へと取り付ければ、充分であると考えられる。
あるいは、追加の取り付け部１２１を設けることなく、ただ１つの取り付け部１１８を蓋１１１の上端面１１２へ接続してもよい。
この場合、蓋１１１の上端面１１２は、容器１が閉じられたときに外パック側壁１０５の縁よりも下方に位置する。
しかしながら、追加の取り付け部１２１を折り目１２０を介して取り付け部１１８に接続することで、蓋作動リンク１１６の蓋１１１へのより確実な取り付けをもたらすことができる。
あるいは、取り付け部１１８だけを蓋１１１に取り付け、追加の取り付け部１２１を蓋後壁１１３に直接取り付けなくてもよい。
その場合、追加の取り付け部１２１が、蓋作動リンク１１６が折り目１１９に沿って互いに枢動可能に接続された２つの部分を有するように、蓋作動リンク１１６の第２の部分を形成している。
内パック１０２を下端面から開いた上端面の方向に、図３に示されている位置を過ぎてさらに動かすと、蓋作動リンク１１６が引き張られ、蓋１１１を図２に示した開位置へと内パック１０２の枢支部１２８を中心に回転させる。
図２および図３に示した図の組み合わせから、外パック１０１の開口１２２が、外パック１０１の２つ以上の面に広がり、内パック１０２のいくつかの内パック側壁１０６を露出させていることを見て取ることができる。
開口１２２が、外パック１０１の小さい方の外パック側壁面１２３から大きい方の外パック側壁面１２４へと広がり、大きい方の外パック側壁面１２４へと小さい方の外パック側壁面１２３の向こう側のさらなる側壁部分へも広がっている。
図示の開口１２２は、丸みを帯びた角部分（丸みを帯びた外観をもたらす複数の小さな側壁部分を生じるように折り曲げられた複数の折り目を備えている）へと広がっている。
補助タブ１２５が、折り目１２６によって小さい方の外パック側壁１２３に取り付けられている。
補助タブ１２５を設けることは、開口１２２を３つ以上の外パック側壁面へ広げることを可能にするうえで役に立つ。
これは、外パック側壁面１２３が、開口１２２の各側の２つの部分からならなければならないからである。
補助タブ１２５が設けられない場合、これらの部分が、パック組み立ての際に、外パック側壁面への接続部を中心に互いに別個独立に自由に回転できると考えられる。
これが、組み立ての際に問題を引き起こす可能性があるため、外パック側壁面１２３の２つの部分を一緒に折り曲げ、一体的に取り扱うことができるよう、補助タブ１２５を設けることが好都合である。
容器１のこの特定の実施例においては、開口１２２が主として小さい方の外パック側壁面１２３に位置し、補助タブ１２５が大きい方の外パック側壁面１２４に位置しているが、開口１２２を任意の１つの外パック側壁面、または、側壁群に位置させることができるよう、補助タブ１２５を任意の外パック側壁面に位置させることが可能である。
【００３９】
図４は、図１〜図３に示した容器１の上面図を示している。
外パック１０１が、内パック１０２を囲んで示されている。
外パック１０１の大きい方の外パック側壁面１２４に重なった補助タブ１２５を見て取ることができ、蓋作動リンク１１６が、外パック１０１と内パック１０２との間に配置されている。
【００４０】
図５が、補助タブ１２５と、外パック１０１と、内パック１０２と、蓋１１１と、蓋作動リンク１１６と、第２の取り付け部１２１とを含む図３に示すパックの後面図を示している。
取り付け部１２１を随意により蓋後壁１１３に取り付けることができるが、これは、蓋作動リンク１１６が機能するうえで必須というわけではない。
１対の切れ目１２７が、蓋後壁１１３に示され、これらの切れ目１２７が、蓋作動リンク１１６および取り付け部１２１の厚さ、または、厚さの少なくとも一部を少なくとも部分的に収容することができる凹所をもたらすことができる。
これは、特にはパックが図１に示されているような完全に閉じられた状態にあるときに、蓋作動リンク１１６が接続された側壁の過度の変形を防止するうえで役に立つ。
【００４１】
図６が、図１〜図５に示す容器１の側面図であり、容器１が開いた状態にあり、蓋作動リンク１１６によって蓋１１１が内パック１０２の内パック側壁に対して枢支部１２８を中心に回転させられるように、内パック１０２が外パック１０１から突き出している。
内パック１０２が、外パック１０１の開いた上面を通って図５に示す位置から移動するとき、蓋作動リンク１１６の張力によって蓋１１１が枢支部１２８を中心に回転し、図６に示した開位置を占める。
反対に、内パック１０２が外パック１０１へと開いた上面を通って戻されるときは、蓋作動リンク１１６が蓋１１１を閉位置に戻すように機能する。
【００４２】
図７ａが、容器１の内パック１０２の生成に適した素材を示している。
素材７は、折り目（破線で示されている）および切れ目（実線で示されている）によって分けられた複数のパネルを備えている。
素材７は、底パネル７０１を備え、この底パネル７０１は、後ろ側の大きい方の側壁面パネル７０２と前側の大きい方の側壁面パネル７０３とに接続されている。
側壁面パネルと称される素材のパネルは、ひとたび折り曲げられたならば内パック１０２および外パック１０１の各々の側壁を形成する。
側壁面パネル７０２は、折り目７１３、７１４によって側壁タブ７０４および７０５に接続され、さらに、これらの側壁タブ７０４および７０５が、折り目７１２、７１１によって底タブ７０６および７０７にそれぞれ接続されている。
側壁面パネル７０３は、複数の折り目によって側壁面パネル部分７０８および７０９に接続され、側壁面パネル部分７０８および７０９が０度よりも大きい角度に複数の折り目で回転させられるとき、実質的に丸みを帯びた角が、前側の大きい方の側壁面パネル７０３と側壁面パネル部分７０８および７０９の各々との間に複数の折り目によって生成される。
補助側壁面パネル部分７１０が、折り目によって側壁面パネル７０３に取り付けられ、折り目を中心に１８０度回転させられたときに、内パック１０２の側壁面パネルに２倍の厚さの側壁部分を生じる。
内パック１０２を形成するために、底タブ７０６および７０７が、それぞれの接続の折り目７１１および７１２を中心に実質的に９０度回転させられる。
側壁タブ７０４および７０５を折り目７１３および７１４を中心に実質的に９０度だけ折り曲げるとともに、側壁面パネル７０２を折り目７１５を中心に実質的に９０度だけ折り曲げることで、底タブ７０６および７０７を底パネル７０１に取り付けることができる。
補助側壁面パネル部分７１０が、１８０度にわたって折り曲げられ、前側の大きい側壁面パネル７０３に取り付けられる。
この側壁面パネル７０３を折り目７１６を中心に折り曲げ、次いで側壁面パネル部分７０８および７０９を側壁タブ７０４および７０５の外側へと接着し、内パック側壁一式を形成することができる。
開口７１７が、前側の大きい方の側壁面パネル７０３および補助側壁面パネル部分７１０に設けられており、折り曲げられたとき、容器１が開状態にあるときの内パック１０２の内側の製品へのより容易なアクセスを可能にする。
切り抜きが、前側の大きい方の側壁面パネル７０３の切り抜きと対をなすように補助側壁面パネル部分７１０に形成され、２つの切り抜きが、パネル同士が折り合わせられたときに互いに重なり合う。
蓋１１１が、枢支線７１８を中心に回転できるように形成され、枢支線７１８は、枢支線７１８を中心とする蓋１１１のより容易な回転を可能にするために部分的に切断されている。
蓋１１１の上端面１１２は、折り目７２０を中心に蓋後部パネル７２１に対して実質的に９０度回転させることができる上側蓋パネル７１９から形成されている。
組み立て時に蓋１１１の上端面１１２に２倍の厚さをもたらすために、パネル７２２を折り目を中心に１８０度回転させることができる。
蓋側壁タブ７２３および７２４が、折り目によって蓋１１１の上端面１１２および蓋後部パネル７２１へとそれぞれ接続され、組み立て時に蓋１１１の蓋側壁１１４を形成するために互いに接着することができる。
【００４３】
図７ｂが、どのようにして凹所を蓋１１１に生成できるのかを説明するために、図７ａの一部分を拡大して示している。
上側蓋パネル７１９が、折り目７２０を中心に蓋後部パネル７２１に対して実質的に９０度にわたって回転させられる。
切れ目７２５が、随意により設けられている。
折り目７２０が、折り目７２０と同時にやはり実質的に９０度にわたって折り曲げられるずらされた折り目部分７２６によって補足されている。
折り目７２０を中心とする折り曲げにより、折り目部分７２６が蓋後部パネル７２１に対して変位させられ、結果として、折り目部分７２６の移動によって蓋後部パネル７２１に凹所が生じる。
切れ目７２５を設けることで、この効果を最大にすることができる。
しかしながら、この効果は、切れ目７２５が存在しなくても、折り目部分７２６が蓋１１１の蓋後部パネル７２１に対して変位させられるため、生じることができる。
この効果は、切れ目７２５が存在しない場合には、わずかに減るかもしれない。
切れ目７２５は、蓋後部パネル７２１の一部分を通って折り目７２７まで延びて図示されている。
しかしながら、蓋作動リンク１１６の寸法に鑑みて必要、または、有益であれば、切れ目７２５を蓋後部パネル７２１の全体を通って側壁面パネル７０２へと延ばすことも、可能であると考えられる。
このようにして、凹所を任意の種類の蓋作動リンクと組み合わせて使用し、内パック１０２と外パック１０１との間への蓋作動リンク１１６の収容を容易にすることができる。
切れ目７２５を蓋後部パネル７２１だけ、内パック１０２の側壁パネルだけ、または、側壁パネルおよび蓋後部パネル７２１の両方に設けることができる。
【００４４】
図７ｃが、折り目７２０を中心とする折り曲げの際に、どのようにして上側蓋パネル７１９を蓋後部パネル７２１に対して折り曲げることによって折り目部分７２６および折り目７２７の間に凹所が生じるのかを示している。
この凹所の機能は、内パック１０２と外パック１０１との間に配置された蓋作動リンク１１６の厚さの少なくとも一部を収容することであってよい。
切れ目７２５が設けられない場合には、空き空間７２８が存在しないと考えられ、ずらされた折り目部分７２６が、各々の端部において折り目７２０につながるように湾曲した形態をとると考えられる。
したがって、凹所の効果は依然として存在するが、図７ｃに示した場合と比べてわずかに減ると考えられる。
切れ目７２５を設けることで、蓋後部パネル７２１、または、側壁パネルの一部分を側壁の残り部分に対して変形させることが可能になる。
したがって、切れ目７２５を、ずらされた折り目を設けることなく、単独で設けることが可能である。
この場合、内パック１０２と外パック側壁１０５との間に配置された蓋作動リンク１１６へと外パック側壁１０５によって加えられる圧力が、外パック側壁１０５のうちの切れ目に隣接する部分を外パック側壁１０５の残り部分に対して変位させることができる。
したがって、折り目７２５に、ずらされた部分７２６を設けなくても、蓋作動リンク１１６を収容する凹所を生成することができる。
【００４５】
つぎに、図８は、容器１の外パック１０１を形成するための素材８を示している。
素材８は、素材７と同様に、底パネル８０１と、後ろ側および前側の大きい方の側壁面パネル８０２および側壁面パネル８０３とを有している。
側壁面パネル７０３と同様に、側壁タブ８０４および８０５に底タブ８０６および８０７が設けられている。
前側の大きい方の側壁面パネル８０３が、複数の折り目によって側壁部分パネル８０８および８０９へと接続されている。
前側の大きい方の側壁面パネル８０３に補強をもたらすために、補助側壁面パネル部分７１０と同様に実質的に１８０度にわたって折り返すことができる補助側壁面パネル部分８１０が設けられているが、この場合に、補助側壁面パネル部分８１０は、この側壁面パネル８０３の一部を覆うにすぎないと考えられる。
パネル８０１〜８０７を類似の参照番号が付された素材７の同等のパネルについて説明したとおりに折り曲げて接着することができる。
側壁パネル部分８０８は、開口１２２を備える点で側壁面パネル部分７０８と相違している。
外パック１０１の製造を容易にするために、補助タブ１２５が、開口１２２の各側に位置する側壁部分パネル８０８の２つの別々の部分８０８ａ、８０８ｂの間を接続している。
側壁部分パネル８０８および８０９を側壁タブ８０４および８０５へ接着し、さらに、補助タブ１２５を後ろ側の大きい方の側壁面パネル８０２へ接着することができる。
補助タブ１２５を設けることで、外パック１０１の製造を容易にすることができる。
なぜならば、この技術分野において頻繁に使用される大処理能力の折り曲げ装置において、側壁部分パネル８０８の部位８０８ａおよび８０８ｂの間に接続が存在しないと、製造における困難が生じる可能性があるからである。
図１〜図６に示した実施例において、破線８１１によって示されているパネルを素材から切り出し、破線によって示される位置をとるように１８０度にわたって折り返すことができる。
これは、開口１２２を生み出すことができ、さらに前側の大きい方の側壁面パネル８０３に補強をもたらすことができる。
あるいは、線８１１によって示されるパネルのサイズが小さくなる場合や、このパネルが完全に省略される場合には、第１のスライダ要素パネル８１２を設けることが可能である。
第１のスライダ要素パネル８１２は、折り目８１４によって第２のスライダ要素パネル８１３へと接続されている。
第１のスライダ要素パネル８１２は、脆弱リンク８１５によって側壁部分パネル８０８へと接続されている。
脆弱リンク８１５は、素材８の部位間のリンクであって、容器１を開くときにユーザによって破壊され、工具または補助を必要とすることなく一方の手の力で破壊されるように構成できるリンクと定義される。
１つまたは複数のさらなる脆弱リンク８１６が、第２のスライダ要素パネル８１３と側壁部分パネル８０８の部位８０８ａとの間に設けられている。
脆弱リンク８１６は、第２のスライダ要素パネル８１３を１８０度にわたって回転させて第１のスライダ要素パネル８１２の内側に添えることができるよう、パックの製造時に破られる。
脆弱リンク８１５は、製造時には手つかずのままにされてよい。
容器１を生成すべく、内側の素材７と外側の素材８とが製造時にお互いに対して配置されるとき、第１のスライダ要素パネル８１２を、脆弱リンク８１５を壊すことなく内パック１０２に取り付けることができる。
これは、素材７および素材８が内パック１０２および外パック１０１を形成すべく折り曲げられる前、または、後であってよい。
したがって、ひとたび容器１が組み立てられると、ユーザが最初に容器１を手に入れたとき、第１のスライダ要素パネル８１２は、脆弱リンク８１５によって外パック１０１へ取り付けられ、かつ内パック１０２へ貼り付けられている。
ユーザが初めて容器１を開くとき、ユーザは、容器１を開くために脆弱リンク８１５を破る必要があり、これらの脆弱リンク８１５が破られたという事実から、容器１がすでに開かれたことが明らかになる。
これは、ユーザが容器１の中身を使用する前に容器１がすでに空けられたか否かを確認できるよう、改ざん防止機能をもたらすことができる。
脆弱リンク８１５は、第１のスライダ要素パネル８１２を内パック１０２から分離させるために必要な力よりも小さな力で破れるのが好ましい。
後ろ側の大きい方の側壁面パネル８０２が、この側壁面パネル８０２に或る程度の追加の強度をもたらすために補助側壁面パネル部分８１０と同様に１８０°にわたって折り返すことができる端部タブ８１７を備えている。
蓋作動リンク１１６が、折り目１１７によって後ろ側の大きい方の側壁面パネル８０２へと接続されている。
取り付け部１１８は、蓋１１１の端面への強度の提供および２つのパックの互いの取り付けの両方の目的で、蓋１１１の上部の上側蓋パネル７１９の外面へ取り付けることができる。
取り付け部１１８は、製造時に随意により蓋１１１の蓋後壁１１３へ取り付けられる追加の取り付け部１２１を介して、蓋作動リンク１１６へ接続されている。
【００４６】
図９が、図１の容器１と同様の容器の別の外パックを形成する別の素材９を示している。
素材９は、図８の素材８と同様の特徴を備え、同様のやり方で組み立てることができる。
素材９と図８の素材８との間の相違だけを必要に応じて類似の参照番号を使用して以下で説明する。
前側の大きい方の側壁パネル９０３が、より大きな半径にわたって丸みを帯びた角の効果を生み出すためのより多数の折り目によって、側壁部分パネル９０８および９０９から隔てられている。
前側の大きい方の側壁面パネル９０３から多数の折り目を通って側壁部分パネル９０８へと延びる開口９２２が設けられている。
第１のスライダ要素パネル９１２が、開口９２２の全幅を占めており、ここで幅は、前側の大きい方の側壁面パネル９０３から側壁部分パネル９０８へと延びる方向である。
第１のスライダ要素パネル９１２は、開口９２２の高さの実質的に半分を占めており、ここで高さは、底パネル９０１に隣接する前側の大きい方の側壁面パネル９０３の下部から、ひとたび折り曲げられたときに外パックの開いた面に隣接する前側の大きい方の側壁面パネル９０３の上部への方向である。
第２のスライダ要素パネル９１３が、折り目９１４において第１のスライダ要素パネル９１２に接続されている。
脆弱リンク９１５および９１６が、素材８の脆弱リンク８１５および８１６と同じやり方で設けられている。
第１のスライダ要素パネル９１２を多数の折り目によってもたらされた丸みを帯びた角の周りに正しく折り曲げることができるよう、第２のスライダ要素パネル９１３のうちのそれらの折り目に対応する部位を取り除くことが必要かもしれない。
素材９においては、開口９２２が互いの角度が９０°よりも大きい側壁面パネルへと延びてはおらず、あるいは大きい方の側壁面パネルのうちの３つ以上にまたがってはいないため、大きい方の補助タブ１２５を設ける必要がない。
【００４７】
図１０が、内パック１０２を形成するための図７ａに示す素材７と同様の別の素材１０を示している。
この素材を図７ａに関して説明したやり方と同様のやり方で使用することができる。
相違点として、開口１０１７が開口７１７よりもわずかに浅い点、ならびに補助側壁面パネル部分１０１０に加えて第３の補助側壁面パネル１０１０ａが設けられ、補助側壁面パネル部分１０１０への接続の折り目を中心に１８０°にわたって同様に折り曲げられて、内パック１０２の前側の大きい方の側壁面パネル１００３に３倍の厚さをもたらす点が挙げられる。
これは、容器１の製造の際に素材９のスライダ要素パネル９１２、９１３が素材１０へ取り付けられる場合に有益である可能性がある。
これは、ユーザがスライダ要素パネル９１２、９１３を使用するときに前側の大きい方の側壁面パネル１００３に圧力を加えがちであり、したがって内パック１０２のこの面に追加の層をもたらし、すなわち、追加の強度をもたらすことが有益となるからである。
【００４８】
図１１ａ〜図１１ｅは、内パック１０２および外パック１０１が第１および第２の相対位置の間を動かされるときに、どのように蓋作動リンク１１６が蓋１１１を開閉するように機能するのかについて図解している。
これらの図は、図５に示した線Ａ−Ａに沿った容器１の断面図である。
これらの図は、図５と同じ縮尺ではなく、寸法および効果の一部が説明の目的のために誇張されている。
【００４９】
図１１ａが、閉じられた状態にある図１に示したような容器１を示している。
内パック１０２が、外パック１０１の内側の閉位置にある。
蓋１１１が、図７ｃに示したとおりの折り目７２６および７２７の間の凹所とともに示されている。
取り付け部１１８および１２１が蓋１１１の外面に取り付けられているが、すでに述べたように、取り付け部１２１の蓋１１１への実際の接着または取り付けは、随意である。
蓋作動リンク１１６は、外パック側壁１２４の延長部であり、第１の端部１１０１に位置する折り目によってこの外パック側壁１２４へ接続され、第２の端部１１０２において内パック１０２の蓋１１１へと枢動可能に接続された閉じられた状態に図示されている。
この閉じられた状態において、蓋作動リンク１１６は、外パック側壁１２４と内パック１０２との間に位置し、第１の端部１１０１から外パック１０１の内部に向かって延びている。
【００５０】
図１１ｂが、外パック１０１に対する内パック１０２の中間位置を示している。
この状態（４分の１開き状態という）において、蓋作動リンク１１６は、外パック側壁１２４に対して実質的に垂直であり、図１１ａの向きと比べて自身の第１の端部１１０１を中心に途中まで回転している。
これにより、外パック側壁１２４が、蓋作動リンク１１６の全長を収容するよう、外パック１０１の内部から遠ざかるように変形する。
蓋１１１は、内パック１０２上の閉位置にとどまっている。
【００５１】
図１１ｃが、図３および図５に示した状態を示している。
この時点で、蓋作動リンク１１６は、外パック１０１の内部から遠ざかるように自身の第１の端部１１０１から延びるように、自身の第１の端部１１０１を中心に回転している。
ひとたびこの向きになると、外パック１０１の開いた面の方向へ内パック１０２のさらなる移動が、蓋作動リンク１１６に引っ張りを生じさせ、蓋１１１を図１１ｄおよび図１１ｅに示されるとおりに枢支部１２８を中心に回転させる。
外パック側壁１２４が内パック１０２から離れるように変形して示されているが、これは本発明の一部の実施例においては生じないかもしれない。
内パック１０２および外パック１０１の配置ならびにスライダ要素パネル８１２、または、９１２の有無および位置に応じて、内パック１０２は、図６に見られるように、さらに大きく外パック１０１から突き出してもよい。
容器１において、蓋作動リンク１１６が、外パック１０１からの内パック１０２の移動の限界を定める。
【００５２】
図１２は、容器１２が外パック１２０１とこの外パック１２０１の内側を摺動できる内パック１２０２とを有している本発明の別の実施例を示している。
スライダ要素１２０３が内パック１２０２へと取り付けられ、図１に示した容器１と同様に、容器１２が閉じられた状態にあるときに、蓋１２０４が外パック１２０１の開いた上面を実質的に満たしている。
【００５３】
図１３が、内パック１２０２およびスライダ要素１２０３が外パック１２０１の開いた上面に向かって変位させられ、蓋１２０４が開いた状態にある開状態の容器１２を示している。
ここで、スライダ要素１２０３の移動が、スライダ要素１２０３が摺動する開口の縁によって限界付けられることを見て取ることができる。
このようにして、スライダ要素１２０３が、外パック１０１における内パック１０２の移動を制限する。
これは、外パック１０１から出る相対移動が蓋作動リンク１１６によって制限される容器１と対照的である。
【００５４】
図１４が、容器１の図４に示した上面図と同等の容器１２の上面図を示している。
内パック１２０２が外パック１２０１の内側に収容され、蓋作動リンク１２１６が内パック１２０２と外パック１２０１との間に配置されている。
この実施例に示した容器１２は、容器１の丸みを帯びた角を有していない。
【００５５】
図１５が、開状態と閉状態との間の中間的な状態にある容器１２の後面図を示している。
蓋作動リンク１２１６が、外パック１２０１から外へと延びている。
容器１の要素取り付け部１２１と同等の取り付け部１２２１も見て取ることができる。
図５の切れ目１２７と同等の切れ目１２２７も随意により設けられる。
【００５６】
図１６が、図１５の中間的な状態と同じ状態の側面図を示している。
スライダ要素１２０３が閉状態と完全に開いた状態との間の行程のほぼ中間にあり、蓋作動リンク１２１６が外パック１２０１から外へと延びている。
蓋１２０４は、依然として内パック１２０２上で閉状態にある。
【００５７】
図１７が、完全に開いた状態の容器１２を示しており、スライダ要素１２０３が図１３に示したとおりの開位置にある。
蓋作動リンク１２１６が、蓋１２０４を開位置に保っている。
【００５８】
図１８が、容器１２の外パック１２０１を生成するための素材１８を示している。
構成は、図９の素材９にきわめて類似しており、同様のやり方で折り曲げることによって組み立てることができる。
主たる相違は、素材９に存在する丸みを帯びた角を生成するための多数の折り目が、素材１８には欠けている点である。
切り抜き１８０１が、折り目１８０２を中心とするスライダ要素１８１２の折り曲げを容易にするために設けられている。
これは、図９に関して説明した特徴と同様であるが、図示されていない。
脆弱リンク１８１５および１８１６が、素材９の脆弱リンク９１５および９１６と同様に設けられている。
【００５９】
図１９が、容器１２の内パック１２０２を形成するための素材１９を示しており、素材１８が素材９に類似するのと同じ様相で、素材１９も素材１０との類似性を有している。
主たる相違は、容器１２の角を生成するためにはただ１つの折り目があればよいため、素材１９においては多数の折り目が欠けている点である。
素材１９は、例示した内パック素材のいずれかにおいて随意により使用することができ、容器１２の製造時に破ることができ、あるいは改ざん防止機能をもたらすためにパックを初めて開くときに破ることができる蓋側壁タブ１９０２と側壁タブ１９０３との間の脆弱リンク１９０１を有している。
素材１９の残りの特徴は、上述した素材１０および素材７の特徴との同等性によって理解することができる。
【符号の説明】
【００６０】
１・・・容器
１０１・・・外パック
１０２・・・内パック
１０３・・・上面
１０４・・・底面
１０５・・・外パック側壁
１０６・・・内パック側壁
１０８、１０９・・・角
１１０・・・摩擦部
１１１・・・蓋    
１１２・・・上端面
１１３・・・蓋後壁  
１１４・・・蓋側壁
１１５・・・折り目
１１６・・・蓋作動リンク
１１７・・・折り目
１１８・・・取り付け部
１１９、１２０・・・折り目
１２１・・・取り付け部  
１２２・・・開口
１２３・・・外パック１０１の小さい方の外パック側壁面
１２４・・・外パック１０１の大きい方の外パック側壁面    
１２５・・・補助タブ  
１２６・・・折り目
１２７・・・切れ目
１２８・・・枢支部
７・・・素材
７０１・・・底パネル
７０２・・・後ろ側の大きい方の側壁面パネル
７０３・・・前側の大きい方の側壁面パネル
７０４、７０５・・・側壁タブ        
７０６、７０７・・・底タブ
７０８、７０９・・・側壁面パネル部分
７１０・・・補助側壁面パネル部分  
７１２、７１３、７１５、７１６、７２０、７２７・・・折り目
７１７・・・開口
７１８・・・枢支線
７１９・・・上側蓋パネル
７２１・・・蓋後部パネル
７２３・・・蓋側壁タブ
７２５・・・切れ目
７２６・・・ずらされた折り目部分
７２７・・・折り目
７２８・・・空き空間
８・・・素材  
８０１・・・底パネル
８０２・・・後ろ側の大きい方の側壁面パネル  
８０３・・・前側の大きい方の側壁面パネル  
８０４、８０５・・・側壁タブ  
８０６、８０７・・・底タブ  
８０８、８０９・・・側壁部分パネル
８０８ａ、８０８ｂ・・・側壁部分パネルの部位
８１０・・・補助側壁面パネル部分
８１２・・・第１のスライダ要素パネル
８１３・・・第２のスライダ要素パネル
８１４・・・折り目
８１５、８１６・・・脆弱リンク
８１７・・・端部タブ
９・・・素材  
９０１・・・底パネル
９０３・・・前側の大きい方の側壁面パネル
９０８、９０９・・・側壁部分パネル
９１２・・・第１のスライダ要素パネル
１０・・・素材
９１３・・・第２のスライダ要素パネル
９１４・・・折り目  
９１５、９１６・・・脆弱リンク
９２２・・・開口  
１００３・・・前側の大きい方の側壁面パネル  
１０１０・・・補助側壁面パネル
１０１０ａ・・・第３の補助側壁面パネル
１０１７・・・開口
１２・・・容器      
１８・・・素材
１９・・・素材
１１０１・・・第１の端部
１１０２・・・第２の端部
１２０１・・・外パック  
１２０２・・・内パック  
１２０３・・・スライダ要素  
１２０４・・・蓋
１２１６・・・蓋作動リンク
１２２１・・・取り付け部
１２２７・・・切れ目
１８０１・・・切り抜き
１８０２・・・折り目
１８１２・・・スライダ要素
１８１５、１８１６・・・脆弱リンク
１９０１・・・脆弱リンク
１９０２・・・蓋側壁タブ
１９０３・・・側壁タブ